(57)【要約】【課題】  肩ベルトが連結環に対して回動自在な状態を維持でき、肩ベルトが使用者の背中に沿って上方へ立ち上がり易く、延いては、ランドセルが使用者の背中から離れにくいベルト取付具、及び、そのようなベルト取付具を用いたランドセルを提供する。【解決手段】  ランドセルの背当て部の上部に取着される本体１１と、本体１１に取着されて、ランドセルの肩ベルト２が連結される左右１対の連結環１３とを有し、各連結環１３の略直線状をなす直線部１３ａに、取付部１５が設けられ、肩ベルト２が、取付部１５を介して、直線部１３ａを軸として回動自在に直線部１３ａに取着され、取付部１５に、肩ベルト２の直線部１３ａの軸方向における移動を規制する規制部１５ａが設けられているベルト取付具１。【選択図】  図１
0003107380.tif 000002
【実用新案登録請求の範囲】
【請求項１】
ランドセルの背当て部の上部に取着される本体と、
前記本体に取着されて、ランドセルの肩ベルトが連結される左右１対の連結環と、
を有するベルト取付具であって、
前記各連結環の略直線状をなす直線部に、取付部が設けられ、
前記肩ベルトが、前記取付部を介して、前記直線部を軸として回動自在に前記直線部に取着され、
前記取付部に、前記肩ベルトの前記直線部の軸方向における移動を規制する規制部が設けられている
ことを特徴とするベルト取付具。
【請求項２】
前記取付部が軸方向における中央部よりも軸方向における両端部が大径とされた略糸巻き形状に形成されて、前記取付部には軸方向に貫通する挿通孔が形成され、前記挿通孔に前記連結環が挿通されて、前記中央部に前記肩ベルトが巻着され、前記両端部が前記規制部をなすことを特徴とする請求項１記載のベルト取付具。
【請求項３】
前記取付部が軸方向に貫通する挿通孔を有する略円筒状に形成されて、前記規制部が前記取付部の径方向における外側に突出するように前記取付部の軸方向における両端部に形成され、前記挿通孔に前記連結環が挿通されて、前記取付部の前記両端部の間に前記肩ベルトが巻着されることを特徴とする請求項１記載のベルト取付具。
【請求項４】
前記取付部には、軸方向における一端から他端まで、前記取付部の外面から前記挿通孔に至る切れ目部が形成され、前記切れ目部を開いて前記取付部を前記連結環に嵌着することにより、前記挿通孔に前記連結環を挿通した状態となることを特徴とする請求項２または３記載のベルト取付具。
【請求項５】
前記切れ目部の前記外面側の縁部に沿って、前記縁部の両側に、前記取付部の径方向における外側に突出する突出部が形成されていることを特徴とする請求項４記載のベルト取付具。
【請求項６】
請求項１、２、３、４、または、５記載のベルト取付具が取着されたことを特徴とするランドセル。
【考案の詳細な説明】
【技術分野】
【０００１】
本考案は、肩ベルトをランドセルの背当て部上部に連結するために用いられるベルト取付具、及び、そのようなベルト取付具を用いたランドセルに関する。
【背景技術】
【０００２】
図７に示すように、従来のベルト取付具１０１は、本体１１１と、本体１１１に揺動可能に取着された左右一対の揺動部材１１２、１１２とを備えている。各揺動部材１１２の上端部１１２ａには、略三角形のリング状の連結環１１３が挿通され、連結環１１３は上下方向に回動自在とされている。そして、連結環１１３の略直線状をなす直線部１１３ａに、肩ベルト（背負いベルト）１０２が巻着されて、肩ベルト１０２は連結環１１３を軸に回動自在とされている。そして、ベルト取付具１０１は、図８に示すように、ランドセルＲ１の背当て部１０３の上部１０３ａに取着される。
【考案の開示】
【考案が解決しようとする課題】
【０００３】
ところが、肩ベルト１０２、１０２は、ランドセルを背負うときに互いに左右に離れる方向に引っ張られ、また、ランドセルを背負っているときも、振動により、互いに左右に離れる方向に移動しやすいため、ベルト取付具１０１では、図７の２点鎖線で示すように、肩ベルト１０２が直線部１１３ａからずれて、連結環１１３の曲り部１１３ｂに掛かってしまい、曲り部１１３ｂと揺動部材１１２の上端部１１２ａとの間に食い込んで、連結環１１３に対して肩ベルト１０２が回動自在でなくなり、肩ベルト１０２と連結環１１３とが言わば一体的に動くようになってしまうという問題があった。
【０００４】
そして、図８に示すように、ランドセルＲ１を背負ったときには、連結環１１３は前方（使用者の体側）に倒れ易いが、肩ベルト１０２と連結環１１３とが一体的に動くようになっていると、この連結環１１３の倒れと共に肩ベルト１０２が倒れてしまうので、肩ベルト１０２が使用者の背中に沿って上方へ立ち上がる状態になりにくく、ランドセルＲ１が使用者の背中から離れて、重く感じられ、使用感がよくないという問題があった。
【０００５】
この考案は、上述した問題を解決するものであり、肩ベルトが連結環に対して回動自在な状態を維持でき、肩ベルトが使用者の背中に沿って上方へ立ち上がり易く、延いては、ランドセルが使用者の背中から離れにくいベルト取付具、及び、そのようなベルト取付具を用いたランドセルを提供することを目的とする。
【課題を解決するための手段】
【０００６】
請求項１記載のベルト取付具は、ランドセルの背当て部の上部に取着される本体と、前記本体に取着されて、ランドセルの肩ベルトが連結される左右１対の連結環と、を有するベルト取付具であって、前記各連結環の略直線状をなす直線部に、取付部が設けられ、前記肩ベルトが、前記取付部を介して、前記直線部を軸として回動自在に前記直線部に取着され、前記取付部に、前記肩ベルトの前記直線部の軸方向における移動を規制する規制部が設けられていることを特徴とする。
【０００７】
ここで、請求項２記載のベルト取付具のように、前記取付部が軸方向における中央部よりも軸方向における両端部が大径とされた略糸巻き形状に形成されて、前記取付部には軸方向に貫通する挿通孔が形成され、前記挿通孔に前記連結環が挿通されて、前記中央部に前記肩ベルトが巻着され、前記両端部が前記規制部をなすことが好ましい。
【０００８】
また、請求項３記載のベルト取付具のように、前記取付部が軸方向に貫通する挿通孔を有する略円筒状に形成されて、前記規制部が前記取付部の径方向における外側に突出するように前記取付部の軸方向における両端部に形成され、前記挿通孔に前記連結環が挿通されて、前記取付部の前記両端部の間に前記肩ベルトが巻着されることとしもよい。
【０００９】
さらに、請求項４記載のベルト取付具のように、前記取付部には、軸方向における一端から他端まで、前記取付部の外面から前記挿通孔に至る切れ目部が形成され、前記切れ目部を開いて前記取付部を前記連結環に嵌着することにより、前記挿通孔に前記連結環を挿通した状態となることが好ましい。
【００１０】
そして、さらに、請求項５記載のベルト取付具のように、前記切れ目部の前記外面側の縁部に沿って、前記縁部の両側に、前記取付部の径方向における外側に突出する突出部が形成されていることが好ましい。
【００１１】
本考案のランドセルは、請求項１、２、３、４、または、５記載のベルト取付具が取着されたことを特徴とする。
【考案の効果】
【００１２】
請求項１記載のベルト取付具によれば、肩ベルトは取付部を介して直線部に取着され、取付部の規制部により肩ベルトの直線部の軸方向における移動が規制されるので、肩ベルトが連結環の直線部からずれて曲り部に掛かってしまうことがなくなり、肩ベルトは連結環に対して回動自在な状態を維持できる。このため、連結環が前方に倒れたとしても、肩ベルトは自在に回動して使用者の背中に沿って上方へ立ち上がり易くなり、ランドセルが使用者の背中から離れにくくなる。
【００１３】
請求項２記載のベルト取付具は、取付部を略糸巻き形状に形成して、その両端部を規制部としたので、構成が簡単で、製造容易であり、安価に製造できる。
【００１４】
請求項３記載のベルト取付具は、取付部を略円筒状に形成して、その両端部に規制部を突出形成したので、構成が簡単で、製造容易であり、安価に製造できる。
【００１５】
請求項４記載のベルト取付具は、切れ目部を開いて取付部を連結環に嵌着することにより、挿通孔に連結環を挿通した状態となるので、連結環を伸ばした状態で取付部に挿通する必要がなく、従来から使用されている略三角形のリング状の連結環をそのまま利用できる。このため、より製造容易で、安価に製造できる。
【００１６】
請求項５記載のベルト取付具は、取付部の突出部間に工具等を差し込めば、容易に取付部の切れ目部を開くことができるので、取付部の連結環への嵌着が容易であり、より製造容易である。
【００１７】
請求項６記載のランドセルは、請求項１、２、３、４、または、５記載のベルト取付具が取着されているので、肩ベルトが連結環に対して回動自在な状態を維持でき、連結環が前方に倒れたとしても、肩ベルトは自在に回動して使用者の背中に沿って上方へ立ち上がり易くなり、ランドセルが使用者の背中から離れにくくなる。
【考案を実施するための最良の形態】
【００１８】
以下、本考案の実施形態を図面に基づいて説明する。
【００１９】
図１は第１実施形態に係るベルト取付具１の正面図、図２はベルト取付具１の斜視図である。ベルト取付具１は、合成樹脂製の本体１１と、本体１１の左右の側部に取着された左右一対の揺動部材１２、１２と、揺動部材１２、１２の上端部１２ａ、１２ａに取着された左右一対の連結環１３、１３と、連結環１３、１３に取着された取付部１５、１５とを備えている。また、本体１１の中央部には、吊下環１４が取着されている。
【００２０】
各揺動部材１２は、合成樹脂製で、下部が本体１１内部に軸着されて左右方向に揺動可能とされ、本体１１内部に配設されたバネ部材により、互いに近づく方向に付勢されている。ここで、左右方向とは、ランドセルを背負った状態での使用者にとっての左右方向に一致する方向を言い、図１紙面左右方向に相当する。各揺動部材１２の上端部１２ａは、左右方向に開口した略円筒形状とされている。
【００２１】
各連結環１３は、金属の丸棒を略三角形のリング状に折り曲げて形成され、両端部を上端部１２ａの両側から挿入することにより、両端部を軸として上下方向に回動可能に、上端部１２ａに取着されている。ここで、上下方向とは、ランドセルを背負った状態での使用者にとっての上下方向に一致する方向を言う。
【００２２】
各取付部１５は、合成樹脂製で、軸方向における中央部１５ｂよりも軸方向における両端部１５ａ、１５ａが大径とされた略糸巻き形状に形成されている。各取付部１５の両端部１５ａ、１５ａは規制部に相当する。各取付部１５には、軸方向に貫通する挿通孔１６が形成され、挿通孔１６には連結環１３が挿通されている。なお、連結環１３は、伸ばした状態で挿通孔１６に挿通後、上述したように略三角形のリング状に折り曲げ形成され、各取付部１５は、連結環１３の略直線状をなす直線部１３ａに配置される。挿通孔１６の径は、連結環１３の径よりも若干大きく形成されており、各取付部１５は、直線部１３ａを軸として回動自在とされる。
【００２３】
そして、図１の２点鎖線及び図３に示すように、各取付部１５の中央部１５ｂには、肩ベルト２が巻着される。取付部１５は直線部１３ａを軸に回動自在であることから、肩ベルト２は、取付部１５を介して、直線部１３ａを軸として回動自在に、直線部１３ａに取着されることとなる。
【００２４】
ベルト取付具１の本体１１は、図４に示すように、ランドセルＲの背当て部３の上部３ａに取着される。各肩ベルト２の一端部は、上述したように、ベルト取付具１の取付部１５に取着されるが、他端部は、ランドセルＲの底部６に、取付具４を介して取着される。
【００２５】
以上のように構成されたランドセルＲを使用者が背負うとき、肩ベルト２、２は互いに左右に離れる方向に引っ張られ、また、使用者がランドセルＲを背負っているときも、振動により、互いに左右に離れる方向に移動しようとするが、各肩ベルト２は、規制部である両端部１５ａ、１５ａによって、直線部１３ａの軸方向（図１矢印方向）における移動が規制され、取付部１５からずれることがない。すなわち、各肩ベルト２は、直線部１３ａからずれることがなくなり、曲り部１３ｂと揺動部材１２の上端部１２ａとの間に食い込むことがなくなって、連結環１３に対して回動自在な状態を維持できる。
【００２６】
このため、図４に示すように、使用者がランドセルＲを背負ったとき、連結環１３が前方へ倒れても、肩ベルト２は自在に回動して使用者の背中に沿って上方へ立ち上がり易くなり、ランドセルＲが使用者の背中から離れにくくなる
また、略糸巻き形状に形成した取付部１５を連結環１３に取着し、その両端部１５ａ、１５ａを規制部としただけであるので、ベルト取付具１は構成が簡単で、製造容易であり、安価に製造できる。
【００２７】
次に、第２実施形態に係るベルト取付具５について説明する。なお、第１実施形態と同じ部分については、同じ符号を用い、その説明を省略する。ベルト取付具５では、図５に示すように、取付部２５を略糸巻き形状に形成し、その軸方向における一端から他端まで、取付部２５の外面２５ｅから挿通孔２６に至る切れ目部２５ｃが形成されている。また、切れ目部２５ｃの外面２５ｅ側の縁部２５ｆに沿って、縁部２５ｆの両側に、取付部２５の径方向における外側に突出する突出部２５ｄが形成されている。なお、図５（ａ）では、切れ目部２５ｃを分かりやすく示すため開いた状態としているが、通常は、切れ目部２５ｃは閉じた状態である。
【００２８】
連結環１３の直線部１３ａに取付部２５を取着するときは、突出部２５ｄ、２５ｄ間に工具等を差し込み、図５（ａ）に示すように切れ目部２５ｃを開く。そして、図５（ｂ）に示すように、取付部２５を直線部１３ａに嵌着すれば、挿通孔２６に連結環１３が挿通された状態となる。なお、取付部２５は合成樹脂製であり弾性を有しているので、連結環１３に嵌着後、自然に切れ目部２５ｃが閉じて、図５（ｂ）に示す状態となる。なお、取付部２５が直線部１３ａを軸として回動自在となるように、挿通孔２６の径は直線部１３ａの径よりも若干大きくされている。
【００２９】
取付部２５の中央部２５ｂには、第１実施形態と同様に肩ベルト２が巻着される。すると、第１実施形態と同様に、取付部２５の両端部２５ａ、２５ａが規制部となって、肩ベルト２の直線部１３ａの軸方向における移動を規制するので、各肩ベルト２は直線部１３ａからずれることがなく、連結環１３に対して回動自在な状態を維持できる。このため、第１実施形態と同様に、使用者がランドセルＲを背負ったときに、肩ベルト２が立ち上がり易く、ランドセルＲが使用者の背中から離れにくい。また、突出部２５は、肩ベルト２に隠れて見えなくなるので、見た目には第１実施形態と同様となる。
【００３０】
また、ベルト取付具５では、連結環１３を伸ばした状態で取付部２５に挿通する必要がなく、略三角形のリング状に形成された状態の連結環１３に、容易に取付部２５を取着することができる。したがって、ベルト取付具５では、従来から使用されている略三角形のリング状の連結環１３をそのまま用いることができ、より製造容易で、より安価に製造できる。
【００３１】
さらに、ベルト取付具５では、取付部２５の突出部２５ｄ、２５ｄ間に工具等を差し込めば、容易に取付部２５の切れ目部２５ｃを開くことができるので、連結環１３への取付部２５の嵌着が容易である。
【００３２】
なお、第１、第２実施形態では、取付部１５、２５を、いずれも略糸巻き形状としたが、図６に示すように、取付部３５を、軸方向に貫通する挿通孔３６を有する略円筒状に形成し、取付部３５の軸方向における両端部３５ａ、３５ａに、取付部３５の径方向における外側に突出する規制部３７、３７を形成することとしてもよい。以下、第１実施形態と同じ部分については同じ符号を用いて説明すると、挿通孔３６に連結環１３を挿通して、取付部３５を連結環１３の直線部１３ａに取着する。挿通孔３６の径は直線部１３ａの径よりも大きくされており、取付部３５は直線部１３ａを軸として回動自在である。そして、両端部３５ａ、３５ａ間に、すなわち、規制部３７、３７間に、肩ベルト２を巻着すれば、規制部３７、３７が、肩ベルト２の直線部１３ａの軸方向における移動を規制するので、肩ベルト２が直線部１３ａからずれることがなくなり、連結環１３に対して回動自在な状態を維持できる。このため、第１実施形態と同様に、使用者がランドセルＲを背負ったときに、肩ベルト２が立ち上がり易く、ランドセルＲが使用者の背中から離れにくい。なお、取付部３５においても、取付部２５と同様の切れ目部を設けることが望ましい。
【００３３】
また、上記実施形態では、取付部１５、２５、３５を直線部１３ａを軸として回動自在とし、その取付部１５、２５、３５に肩ベルト２を取着することにより、肩ベルト２が直線部１３ａを軸として回動自在になるようにしたので、必ずしも、肩ベルト２は取付部１５、２５、３５に対して回動自在とされてなくてもよい（但し、上記実施形態では、肩ベルト２は取付部１５、２５、３５に対しても回動自在とされている）。一方、肩ベルト２が取付部１５、２５、３５に対して回動自在とされているときは、取付部１５、２５、３５を直線部１３ａに固着しても（すなわち、直線部１３ａを軸として回動自在としなくても）よい。但し、上記実施形態のように、取付部１５、２５、３５を直線部１３ａを軸として回動自在とすれば、肩ベルト２の回動を円滑にすることができる。
【００３４】
また、取付部１５、２５、３５を金属製や木製としてもよい。
【００３５】
また、連結環１３を略四角形のリング状としてもよく、要するに直線部１３ａを有する形状であればよい。
【００３６】
すなわち、実用新案登録請求の範囲を逸脱しない範囲で、本考案は種々の構成を採り得る。
【図面の簡単な説明】
【００３７】
【図１】本考案の第１実施形態に係るベルト取付具の正面図である。
【図２】同ベルト取付具の斜視図である。
【図３】同ベルト取付具の肩ベルトを取着した状態の斜視図である。
【図４】同ベルト取付具を取着したランドセルを背負った状態の説明図である。
【図５】本考案の第２実施形態に係るベルト取付具の説明図であり、（ａ）は切れ目部を開いた状態の取付部の斜視図、（ｂ）はベルト取付具の部分斜視図である。
【図６】他の実施形態に係るベルト取付具の取付部の斜視図である。
【図７】従来のベルト取付具の正面図である。
【図８】従来のベルト取付具を取着したランドセルを背負った状態の説明図である。
【符号の説明】
【００３８】
１、５…ベルト取付具
２…肩ベルト
３…背当て部
３ａ…上部
１１…本体
１３…連結環
１３ａ…直線部
１５、２５、３５…取付部
１５ａ、２５ａ…両端部（規制部）
１５ｂ、２５ｂ…中央部
１６、２６、３６…挿通孔
２５ｃ…切れ目部
２５ｄ…突出部
２５ｅ…外面
２５ｆ…縁部
３５ａ…両端部
３７…規制部
【図１】
0003107380.tif 000003
【図２】
0003107380.tif 000004
【図３】
0003107380.tif 000005
【図４】
0003107380.tif 000006
【図５】
0003107380.tif 000007
【図６】
0003107380.tif 000008
【図７】
0003107380.tif 000009
【図８】
0003107380.tif 000010